(57)【要約】本発明によるホッチキス（１）は、シーティング刃（１１）を有する押え部（３）と、針（２０）を収納する収納部（９）と、シーティング刃（１１）によって押し出された針（２０）をシート材（６０）に貫通させた後、脚部（２３）を折り曲げる受け台（５）とを備え、シート材（６０）と針（２０）とを綴じるホッチキス（１）において、針（２０）はシーティング刃（１１）が当接する左右の両肩部（２１）と、肩部（２１）から略直角に延出した脚部（２３）とを備え、左右の肩部間には任意の形状を有する模様部（２７）が設けられており、模様部（２７）が脚部（２３）に対して傾斜しており、収納部（９）は一側に模様部（２７）が通過する大きさの針（２０）の取り出口（１３）を設けるようにした。
2003095152.tif 000002
【特許請求の範囲】
【請求項１】
複数の針を並列に密装させて収納したホッチキス用のカートリッジであって、カートリッジの容器は一側に針の取出し口と、針の脚部の下端を載せて取出し口へ移動を案内する案内溝部と、カートリッジ内の針を取出し口側に向けて付勢するスプリングと、取出し口の上部に設けられ且つ容器内にシーティング刃が挿入されるシーティング刃挿入口とを備え、ホッチキス用の針は、シーティング刃が当接する左右の両肩部と、肩部から略直角に延出し、シート材を貫通して折り曲げられる脚部とを備え、左右の肩部間には任意の形状を有する模様部を有することを特徴とするホッチキス用のカートリッジ。
【請求項２】
シーティング刃を有する押え部と、針を収納する収納部と、シーティング刃によって押し出された針をシート材に貫通させた後、脚部を折り曲げる受け台とを備え、シート材と針とを綴じるホッチキスにおいて、針はシーティング刃が当接する左右の両肩部と、肩部から略直角に延出した脚部とを備え、左右の肩部間には任意の形状を有する模様部が設けられており、模様部が脚部に対して傾斜しており、収納部は一側に模様部が通過する大きさの針の取り出口を備えたことを特徴とするホッチキス。
【請求項３】
収納部は針の脚部の下端を載せて取出し口へ移動を案内する案内溝部と、収納部内の針を取出し口側に向けて付勢するスプリングとを備えており、針はスプリングの付勢により案内溝部に沿って取出し口の位置に案内され、取出し口で針が係止されることを特徴とする請求の範囲２に記載のホッチキス。
【請求項４】
シーティング刃は、収納した針を取り出し口に案内するための取出し部と、取出し口に待機している針を押し出す圧入部とを備え、シーティング刃を下げると取出し部により収納部の針が取出し口に案内され、取出し口で脚部を立設させるように針を位置させ、続いてシーティング刃を更に押下げることにより圧入部が肩に当接して取出し口から押し出されることを特徴とする請求の範囲２又は３に記載のホッチキス。
【請求項５】
針は、模様部の厚さが脚部の幅よりも小さことを特徴とする請求の範囲２乃至４の何れかに記載のホッチキス。
【請求項６】
針は、両肩部の案内溝部方向の幅が脚部の案内溝部方向の幅よりも小さいことを特徴とする請求の範囲２乃至４の何れかに記載のホッチキス。
【発明の詳細な説明】
技術分野
本発明は、複数のシート材を綴じるホッチキスに関する。
背景技術
従来、ホッチキス用の針は用紙の表面に露出する両肩部と、肩部の両端から略直角方向に延出する脚部とからなり、脚部が複数の紙を貫通した状態で、紙の裏側で折り曲げて複数の用紙を綴じるようにしている。
しかしながら、従来の針は用紙の綴じ機能を確保するために不可欠な形状のみからなる構成であるため、露出部分が線状に限られており意匠性に乏しかった。
一方、特開平６−１７３９１７号公報には両肩部に円板状の模様部を設けたものが示されている。
しかし、両肩部に模様部を有する針は、その形状から多くの個数を一度にカートリッジ内に収納することができず、実用性のないものとなっていた。また、模様部を有する針を複数収納する場合には、隣り合う針の模様部同士が干渉し合うため、針の脚部を案内溝部に沿う面に対して斜め方向に収納しなければならず、そのままの状態で取出し口から針が押し出されると、シート材への脚部の貫通に不具合が生じ、正確な綴じがし難いという問題がある。
本発明は前記事情に着目してなされたものであり、その目的とするところは、両肩部に模様部を有する針を複数収納することができ、且つシート材に対して正確な綴じを行うことができるカートリッジ及びカートリッジを備えたホッチキスを提供することを目的とする。
発明の開示
上記課題を解決するため、第１の発明は、複数の針を並列に密装させて収納したホッチキス用のカートリッジであって、カートリッジの容器は一側に針の取出し口と、針の脚部の下端を載せて取出し口へ移動を案内する案内溝部と、カートリッジ内の針を取出し口側に向けて付勢するスプリングと、取出し口の上部に設けられ且つ容器内にシーティング刃が挿入されるシーティング刃挿入口とを備え、ホッチキス用の針は、シーティング刃が当接する左右の両肩部と、肩部から略直角に延出し、シート材を貫通して折り曲げられる脚部とを備え、左右の肩部間には任意の形状を有する模様部を有することを特徴とするものである。
この発明によれば、カートリッジ内には複数の針が並列に密装されており、針はスプリングによって容器の取出し口側に付勢される。取出し口側に付勢された針は取出し口の上部に設けられたシーティング刃挿入口からシーティング刃が挿入され、針の肩部が押されて針が押し出される。このように、針の左右の両肩間に設けられた模様部を重ねて収納することができるので、多くの個数を一度にカートリッジ内に収納することができる。
また、異なる模様部を有する針をカートリッジに挿入することで、カートリッジの交換により、模様部の異なる針で用紙を綴じることができ見た目が楽しめる。
第２の発明は、シーティング刃を有する押え部と、針を収納する収納部と、シーティング刃によって押し出された針をシート材に貫通させた後、脚部を折り曲げる受け台とを備え、シート材と針とを綴じるホッチキスにおいて、針はシーティング刃が当接する左右の両肩部と、肩部から略直角に延出した脚部とを備え、左右の肩部間には任意の形状を有する模様部が設けられており、模様部が脚部に対して傾斜しており、収納部は一側に模様部が通過する大きさの針の取り出口を備えることを特徴とするものである。
第２の発明によれば、シート材を綴じるときには、受け台と押え部との間にシート材を置き、押え部の押圧操作によりシーティング刃が針の両肩部に当接し、両肩部が押されて取出し口から下方に押し出される。押し出された針の脚部の先端は、シート材を貫通し脚部が折り曲げられることで、シート材が綴じられる。取出し口は針の模様部が通過できる大きさに形成されているので、模様部を有する針のみならず、模様部を有さない普通針との共用が可能である。
第３の発明は、収納部は針の脚部の下端を載せて取出し口へ移動を案内する案内溝部と、収納部内の針を取出し口側に向けて付勢するスプリングとを備えており、針はスプリングの付勢により案内溝部に沿って取出し口の位置に案内され、取出し口で針が係止されていることを特徴とする。
第３の発明によれば、収納部に収納されている針が、スプリングの付勢により取出し口まで案内されて、シーティング刃を押し下げることで針が取出し口から押し出されるので、常に取出し口に針を置くことができ、針とシート材との綴じ動作を連続して行うことができる。
第４の発明は、シーティング刃は、収納した針を取り出し口に案内するための取出し部と、取出し口に待機している針を押し出す圧入部とを備え、シーティング刃を下げると取出し部により収納部の針が取出し口に案内され、取出し口で脚部を立設させるように針を位置させ、続いてシーティング刃を更に押下げることにより圧入部が肩に当接して取出し口から押し出されるように設けられていることを特徴とする。
第４の発明によれば、収納部内で針は案内溝部に沿う面に対して斜め方向に収められており、針は、シーティング刃を押し下げることで取出し部により取出し口に移送される。取出し口では針の脚部を立設させるように針を位置させ、続いてシーティング刃をさらに押下げることにより圧入部が両肩部に当接して針が押し出され、押し出された針の脚部の先端が、シート材を貫通して脚部が折り曲げられることで、シート材が綴じられる。
このように、シーティング刃は収納部内の針を取出し口に案内する取り出し部と、取出し口で脚部を立設させた後に肩部に当接して針を取出し口から押し出すための圧入部とを備えたので、収納部内で脚部が案内溝部に沿う面に対して斜めに配置されている場合でも、脚部を垂直にしてから両肩部を垂直方向に押下げることができ、シート材への脚部の貫通を正確に行うことができ、針をシート材に対してしっかり綴じることができる。
また、シーティング刃で模様部を押し出す構成であるので、針の両肩部を幅広に取る必要がなく、その分、模様部の形状を大きくすることができる。
第５の発明は、針は、模様部の厚さが脚部の幅よりも小さく設けられていることを特徴とする。
第５の発明によれば、脚部を案内溝部に沿う面に対して垂直に針を収納する場合でも、隣り合う針同士の模様部又は両肩部が干渉しない。よって、隣り合う針の脚部の下端を同じ高さにすることで、脚部を案内溝部に沿う面に対して斜めに収納しなくとも、複数の針を並列に密装させて収納することができる。
第６の発明は、針は、両肩部の案内溝部方向の幅が脚部の案内溝部方向の幅よりも小さく設けられていることを特徴とする。
第６の発明によれば、脚部を案内溝部に沿う面に対して垂直に針を収納する場合でも、隣り合う針同士の両肩部が干渉せず、隣合う針の脚部の下端を同じ高さにすることができ、脚部を案内溝部に沿う面に対して斜めに収納しなくとも、複数の針を並列に密装させて収納することができる。
本発明を実施するための最良の形態
以下に本発明の実施例を図面に基づいて具体的に説明する。
図１は、本発明に係るホッチキスを概略的に示した斜視図、図２は図１のカートリッジの構成を示した斜視図、図３は図２のカートリッジ内に収納された針の側面図、図４は図３の針の変形例を示す側面図、図５は第２の実施の形態を示す斜視図、図６は図５のカートリッジ内に収納する針を示す側面図、図７は用紙を綴じた状態の針の正面図である。
第１実施の形態に係るホッチキス１は針の受け部５と、この受け部５の端部側で回動自在に設けられシーティング刃１１を有する押え部３とからなり、受け部５と押え部３との間には針の収納部９が設けられており、この収納部９にはホッチキス１の複数の針２０が並列に収納されたカートリッジ７が取り付けられている。
押え部３は、取出し口１３側にカートリッジ７内に収納された針２０を押し出すシーティング刃１１を備えており、本発明ではシーティング刃１１が針２０の両肩部２１に当接するように、シーティング刃１１の中央が切り欠き状になっている。
受け台５には、押え部３のシーティング刃１１と対向する位置に、針２１の脚部２３を折り曲げる溝状の折り曲げ部２５が設けられている。
カートリッジ７は容器１２の一側に針２０の取出し口１３が設けられている。また、容器１２の底部の両側には案内溝部１５が設けられており、この案内溝部１５に針２０の脚部２３の先端が載置されるようになっている。取出し口１３と反対側の針２０に当接する位置には移動板１７が設けられており、移動板１７と容器１２との間には、針２０を取出口１３の方向に付勢するためのスプリング１９が取り付けられている。この移動板１７がスプリング１９で常時取出口１３方向に付勢されることにより、移動板１７の前側に収容された針２０が取出口１３方向に押圧されている。取出口１３の上部にはシーティング刃１１が挿入するための挿入口（シーティング刃挿入口）８が設けられている。
カートリッジ７内に収納される針２０は、押え部３に設けられたシーティング刃１１が当接する左右の両肩部２１と、両肩部２１の両端から略直角に延出し、且つシート材６０を貫通して折り曲げられる脚部２３とを備え、肩部間には任意の形状を有する模様部２７が脚部２３に対して斜めに設けられている。
模様部２７は図に示すように、面がハート型の形状をしており、模様部２７は脚部２３に対して斜め方向に設けられている。尚、模様部２７と脚部２３とで略Ｔ字状をなすように設けても良い。
カートリッジ７内の針２０は、複数の針２０が並列に密装して収納されており、針２０を収納する際には、夫々の模様部２７が重なるようにセットする。尚、互いの針２０はのり付けにより仮固定されており、脚部２３同士が接触する部分にのみ、のり付けがなされており、シーティング動作により押された針２０のみが取出し口１３から押し出されるようになっている。
次に、上記した構成に基づき、本実施の形態の作用を説明する。ホッチキス１を使用する場合は、先ず、受け台５から押え部３を回動させて開け、針２０が収納されたカートリッジ７を収納部９にセットする。
そして、用紙６０を綴じるときには、受け台５と押え部３との間に複数の用紙６０を置き、押え部３の押圧操作により針２０が押し出され用紙６０が綴じられる。詳しくは、押え部３の押圧操作により、カートリッジ７の上部の挿入口から刃１１が入りカートリッジ７の取り出口に位置する１本の針２０の両肩部２１が押される。押し出された針２０の脚部２７の先端は、複数の用紙を貫通する。そして脚部２７が折り曲げ部２５で折り曲げられることで、複数の用紙が針２０によって綴じられる。
カートリッジ７内では、１回の綴じ動作が終了した後、移動板１７がスプリング１９により取出口１３方向に付勢されることにより、残りの針２０が取出口１３方向に押圧され上述の動作が繰り返される。
このように用紙６０を綴じた状態では、模様部２７が用紙の表面に現れるので、露出部分が従来からの線状に限られず、いわゆるホッチキス止めした用紙の表面には模様部２７が形成されるので、見栄えが良いとともに、意外性を与える。
また、用紙６０の綴じ部分となる針２０の両肩部２１に模様部２７が取り付けられており、この面状の模様部２７で用紙を押えるので、線状の針で用紙を止めた場合に比較して用紙を綴じた後に用紙が針２０から剥がれ難い。
さらに、針２０の両肩部２１に模様部２７があるので、用紙から模様部２７を掴んで容易に取り外すことができる。
次に、他の実施の形態について説明するが、その説明にあたり、上述した部分と同様な部分には同一の符号を付することにより、その説明を省略する。図５に示すように第２の実施の形態では、カートリッジ７内に収納する針２０は模様部２７と脚部２３とで略Ｔ字状をなしており、並列に密装された収納部９の案内溝部１５に脚部２３の先端と模様部２７の下端とが当接して模様部２７が脚部２３に対して斜め方向に収められるようにした。また、押え部３にはカートリッジ７内の針２０を待機部４１に落とすためのピックアップ刃４３と、このピックアップ刃４３の取出口１３側に設けられ、且つ待機部４１に待機している針２０を押し出すための押し出し刃４５を設けた。
カートリッジ７の一側の上部に設けられる挿入口８は、針２０の模様部２７の全体が露出するような形状とした。また、挿入口８に入れて針２０を取り出すピックアップ刃４３は、カートリッジ７側に凸状になるようにした。また、カートリッジ７の取出口１３の下部に待機部４１を設けた。待機部４１はカートリッジ７から押し出された針２０の脚部２３が位置決めされる位置決めガイド５１と、位置決めガイド５１に対向する位置に設けられた導入ガイド５３からなり、針２０を一旦この待機部４１に待機させて、針２０の脚部２３が用紙に対して垂直になるように姿勢が修正された後に、針２０が押し出されるようにした。
このように、ピックアップ刃４３又は押し出し刃４５で模様部２７を押す構成であるため、針２０の両肩部２１を幅広に取る必要がなく、その分だけ模様部２７の形状を大きくすることができる。
次に、図８及び図９を参照して第３実施の形態について説明する。第３実施の形態では、カートリッジ７を使用せずに収納部９に直接、針２０を収納し、シーティング刃１１で、針２０を取出し口１３から押し出す点が上述の第１及び第２の実施の形態と異なる。
収納部９の取出し口１３は、針２０の模様部２７が通過できる大きさに形成されており、模様部２７が通過する模様部通過口１３ａと両肩部２１が通過する肩部通過口１３ｂとに分かれている。このように、取出し口１３は針２０の模様部２７が通過できる大きさに形成されているので、針２０の両肩部２１が通過する肩部通過口１３ｂを利用すれば、模様部２７を有さない普通針の使用も可能である。
次に、図１０を参照して第４実施の形態について説明する。第４実施の形態では、針２０の模様部２７の厚さ（図１０中、（Ｔ））を、脚部２３の案内溝部１５に沿う方向の幅（図１０中（Ｗ））よりも小さく設けている。このように、模様部２７の厚さ（Ｔ）を脚部２３の案内溝部１５に沿う方向の幅（Ｗ）よりも小さく設けることで、脚部２３を案内溝部１５に沿う面に対して垂直に針２０を収納する場合でも、一方の針２０ａの模様部２７ａ又は両肩部２１ａと、隣り合う他方の針２０ｂの模様部２７ｂ又は両肩部２１ｂとが互いに干渉することなく、隣り合う針２０ａ、２０ｂの脚部２３ａ、２３ｂの下端２４ａ、２４ｂ同士が互いに同じ高さになる。従って、針２０を収納する際に脚部２３を案内溝部１５に沿う面に対して斜めにしなくとも、複数の針２０を並列に密装させて収納することができる。
次に、第４実施の形態の変形例について説明する。図１２（ｂ）に示すように、両肩部２１の案内溝部１５に沿う方向の幅をＭ、脚部２３の案内溝部１５に沿う方向の幅をＷとしたとき、両肩部２１の幅Ｍが脚部２３の幅Ｗよりも小さくなるようにしている。このようにすれば、針２０を並列に密装したときに、隣り合う一方の針２０の両肩部２１が他方の針２０の両肩部２１に干渉せず、第４実施の形態と同様に針２０を収納する際に脚部２３を案内溝部１５に沿う面に対して斜めにしなくとも、複数の針２０を並列に密装させて収納することができる。
尚、模様部２７を備えた針２０と普通針とを共用して使用する場合は、脚部２３の幅Ｗと普通針の脚部の幅とが同じ長さになるようにする。
次に第５実施の形態について説明する。図１１に示すように、第５実施の形態では針２０の模様部２７の下端２７ａに面取り加工を施している。このように、模様部２７の下端２７ａに面取り加工を施したので、用紙６０を綴じる際に余計な力が要らず、スムーズな綴じ動作となる。詳しくは、針２０の両肩部２１が上方からシーティングされると、針２０の脚部２３の先端が用紙６０を貫通し、脚部２３が折り曲げられる。また同時に模様部２７の下端２７ａが用紙６０と接触し、さらに上方から押されると模様部２７が用紙６０の表面に対して斜めになった状態から平行の状態となる。このとき、模様部２７の下端２７ａに面取り加工を施しているので、模様部２７の下端２７ａが用紙６０と接触してから、スムーズに用紙６０の表面に対して平行の状態となることができ、針２０を上から押す力が少なくてすむ。
次に第５実施の形態の変形例について説明する。図１２（ａ）に示すように、変形例では針２０の両肩部２１にねじりを形成している。ねじりは、両肩部２１を軸回りに矢印Ａで示す方向に回動させて形成しており、模様部２７が同じ矢印Ａで示す方向に回動し易くなっている。このように両肩部２１にねじりを設けたので、上述した模様部２７の下端２７ａに面取り加工を施したときと同様に、針２０を上方から押すと模様部２７が用紙６０の表面に対して斜めになった状態から容易に平行の状態となることができ、用紙６０を綴じる際に余計な力が要らず、スムーズな綴じ動作となる。尚、ねじり部分の長さは、できるだけ短くすることが望ましい。両肩部２１のねじりを形成しない部分は上面が平らな状態であるので、ねじり部分の長さが短ければシーティング刃１１が当接し易く、針２０の押し出しがスムーズである。
本発明は、上述のような実施例に限定されず、その要旨を逸脱しない範囲内において種々の変形が可能である。例えば、模様部２７の形状を本実施の形態ではハート型としたが、これに限定されず三角形、四角形、又は星形等の多角形若しくは、円形、楕円形でも良い。また、模様部２７の表面に着色や文字を施しても良い。
第３実施の形態では、針２０の模様部２７が通過する大きさの取出し口１３を収納部９に対して形成するようにしたが、これに限定されずカートリッジ７の取出し口１３を図９に示すような模様部２７が通過する大きさの取出し口１３としても良い。
第４実施の形態では、針２０の模様部２７の厚さ（Ｔ）を脚部２３の案内溝部１５に沿う方向の幅（Ｗ）よりも小さく設けることで、針２０を収納する際に脚部２３を案内溝部１５に沿う面に対して垂直に並べることができたが、これに限定されず、図１２のように針２０の両肩部２１にねじりが形成されている場合には図１３に示すように、隣り合う針２０の両肩部２１ａ、２１ｂの互いに干渉する部分２６ａ，２６ｂを面取り加工することで、互いの針２０が干渉することを防止でき、この場合においても、図１０に示すように針２０を収納する際に脚部２３を案内溝部１５に沿う面に対して垂直にした状態で、複数の針２０を並列に密装させて収納することができる。
針２０の両肩部２１は、模様部２７から出っ張らずに、両肩部２１が模様部２７の一部を構成するようにしても良い。
針２０の材質は金属のものに限らず、樹脂材その他のものであっても良い。
案内溝部１５は収納部９の両壁から離れた位置に長手方向に沿う突起を設けたが、突起を設けずに収納部９の両壁に直接、針２０の脚部２３が当接して案内されるようにしても良い。
第１実施の形態において、カートリッジ７は受け台５から押え部３を回動させて開けて、収納部９にセットするようにしたが、これに限定されず、ホッチキス１の収納部９の正面側又は背面側から挿入するようなものであっても良い。
産業上の利用可能性
以上のように、本発明は、複数の用紙を針で綴じるのに適したホッチキス用のカートリッジ及びホッチキスとして用いられる。
【図面の簡単な説明】
図１は、本発明の実施の形態に係るホッチキスを概略的に示した斜視図である。
図２は、図１のカートリッジの構成を示した斜視図である。
図３は、図２のカートリッジ内に収納された針の側面図である。
図４は、図３の針の変形例を示す側面図である。
図５は、第２実施の形態のホッチキスを示す斜視図である。
図６は、図５のカートリッジ内に収納する針を示す側面図である。
図７は、用紙を綴じた状態の針の正面図である。
図８は、第３実施の形態の収納部を示す斜視図である。
図９は、図８の収納部に係る取出し口周辺を示す斜視図である。
図１０は、第４実施の形態に係る針を示す正面図である。
図１１は、第５実施の形態に係る針を示す正面図である。
図１２は針の変形例を示す図であり、（ａ）は第５実施の形態の針の変形例を示す斜視図である。（ｂ）は第４実施の形態の針の変形例を示す平面図である。
図１３は、第４実施の形態に係る針の変形例を示す図である。
【図１】
2003095152.tif 000003
【図２】
2003095152.tif 000004
【図３】
2003095152.tif 000005
【図４】
2003095152.tif 000006
【図５】
2003095152.tif 000007
【図６】
2003095152.tif 000008
【図７】
2003095152.tif 000009
【図８】
2003095152.tif 000010
【図９】
2003095152.tif 000011
【図１０】
2003095152.tif 000012
【図１１】
2003095152.tif 000013
【図１２】
2003095152.tif 000014
【図１３】
2003095152.tif 000015
【手続補正書】
【提出日】平成15年6月9日(2003.6.9)
【手続補正１】
【補正対象書類名】明細書
【補正対象項目名】特許請求の範囲
【補正方法】変更
【補正の内容】
【特許請求の範囲】
【請求項１】
（補正後）複数の針を並列に密装させて収納したホッチキス用のカートリッジであって、カートリッジはホッチキスの収納部に装着されており、カートリッジの容器は一側に針の取出し口と、針の脚部の下端を載せて取出し口へ移動を案内する案内溝部と、カートリッジ内の針を取出し口側に向けて付勢するスプリングと、取出し口の上部に設けられ且つ容器内にシーティング刃が挿入されるシーティング刃挿入口とを備え、ホッチキス用の針は、シーティング刃が当接する左右の両肩部と、肩部から略直角に延出し、シート材を貫通して折り曲げられる脚部とを備え、左右の肩部間には任意の形状を有する模様部を有することを特徴とするホッチキス用のカートリッジ。
【請求項２】
（補正後）シーティング刃を有する押え部と、針を収納する収納部と、シーティング刃によって押し出された針をシート材に貫通させた後、脚部を折り曲げる受け台とを備え、シート材と針とを綴じるホッチキスにおいて、複数並んだ針の下端を結ぶ線が略水平であり、針はシーティング刃が当接する左右の両肩部と、肩部から略直角に延出した脚部とを備え、左右の肩部間には任意の形状を有する模様部が設けられており、模様部が脚部に対して傾斜しており、収納部は一側に模様部が通過する大きさの針の取り出口を備えたことを特徴とするホッチキス。
【請求項３】
収納部は針の脚部の下端を載せて取出し口へ移動を案内する案内溝部と、収納部内の針を取出し口側に向けて付勢するスプリングとを備えており、針はスプリングの付勢により案内溝部に沿って取出し口の位置に案内され、取出し口で針が係止されることを特徴とする請求の範囲２に記載のホッチキス。
【請求項４】
シーティング刃は、収納した針を取り出し口に案内するための取出し部と、取出し口に待機している針を押し出す圧入部とを備え、シーティング刃を下げると取出し部により収納部の針が取出し口に案内され、取出し口で脚部を立設させるように針を位置させ、続いてシーティング刃を更に押下げることにより圧入部が肩に当接して取出し口から押し出されることを特徴とする請求の範囲２又は３に記載のホッチキス。
【請求項５】
針は、模様部の厚さが脚部の幅よりも小さことを特徴とする請求の範囲２乃至４の何れかに記載のホッチキス。
【請求項６】
（補正後）針は、両肩部の案内溝部方向の幅が脚部の案内溝部方向の幅よりも小さいことを特徴とする請求の範囲２乃至５の何れかに記載のホッチキス。
【請求項７】
（補正後）針は、模様部の下端の隅部を面取り加工していることを特徴とする請求の範囲２乃至６の何れかに記載のホッチキス。
【請求項８】
（補正後）針は、両肩部の軸回りにねじりを形成し、模様部を脚部に対して斜めにしていることを特徴とする請求の範囲２乃至７の何れかに記載のホッチキス。
【請求項９】
（補正後）針の両肩部は、隣り合う針のねじり部分が互いに干渉する部分を切り取っていることを特徴とする請求の範囲８記載のホッチキス。
【国際調査報告】
2003095152.tif 000016
2003095152.tif 000017